(57)【要約】【課題】使用者の利便性を向上させ、また、光が出射する範囲及び照明可能な範囲を広げることができる照明器具を提供する。【解決手段】照明器具１は、天井Ｃに沿って並置された２個の光源ユニット２，２と、接離駆動部３とを備える。光源２１が発する光は、反射板２２によって反射され、光源２１が発する光及び反射板２２にて反射した光が照明器具１の外部へ出射する。接離駆動部３は、モータを用いて自動的に光源ユニット２，２を互いに逆方向に揺動させるため、ユーザが手動で揺動させる必要はない。反射板２２は光源２１に対向配置されており、光源２１を覆っていないため、光源ユニット２から光が出射する範囲は広い。また、光源２１と反射板２２とがユニット化された光源ユニット２が揺動するため、反射板２２によって光源ユニット２の揺動が制限されることはない。従って、光源ユニット２，２同士が接離することによって照明可能な範囲は広い。【選択図】図２
2013200978.tif 000002
【特許請求の範囲】
【請求項１】
光源と、該光源が発する光を反射する反射板とを夫々が有する複数個の光源ユニットが並置されており、
複数個の前記光源ユニットの内、少なくとも１個が揺動可能にしてあり、
前記反射板にて反射した光が出射するようにしてある照明器具であって、
前記光源ユニットを揺動させることによって、複数個の前記光源ユニット同士を相対的に接離させる接離駆動部を備え、
前記反射板は前記光源の光出射方向に対向配置されていることを特徴とする照明器具。
【請求項２】
複数個の前記光源ユニットの並置方向に交差する方向の軸周りに、複数個の前記光源ユニット及び接離駆動部を一体的に回転させる回転駆動部を更に備えることを特徴とする請求項１に記載の照明器具。
【請求項３】
前記回転駆動部による回転範囲は360 °であることを特徴とする請求項２に記載の照明器具。
【請求項４】
前記反射板にて反射した光を拡散させる拡散部を更に備えることを特徴とする請求項１から３の何れかひとつに記載の照明器具。
【請求項５】
前記接離駆動部は、
前記光源ユニットに一体的に設けられている回動軸部と、
該回動軸部を回動可能に支持する軸支持部と、
正逆に回転可能なモータと、
該モータの正逆の回転に伴って、相反方向に直線移動する移動部と、
該移動部の前記相反方向の直線移動に伴って、前記回動軸部を中心に正逆に回転する回転部と
を有することを特徴とする請求項１から４の何れかひとつに記載の照明器具。
【請求項６】
前記接離駆動部は、
正逆に回転可能なモータと、
該モータの正逆の回転に伴って、相反方向に直線移動する移動部と、
その一部が、直線移動する前記移動部に接触し、その他部が、前記光源ユニットに一体的に設けられている接触部と、
該接触部の前記一部及び他部が一体的にその周面方向に回動移動可能なように前記接触部を支持する支持軸部と
を有することを特徴とする請求項１から４の何れかひとつに記載の照明器具。
【発明の詳細な説明】
【技術分野】
【０００１】
本発明は、配光の調節が可能な照明器具に関する。
【背景技術】
【０００２】
従来、配光を調節することが可能な照明器具が提案されている（特許文献１，２参照）。
特許文献１に記載されている照明器具は、商品の陳列販売用のショーケースに取り付けられている。照明器具は、装置本体にネジ留め固定されている保持体を備え、この保持体が、光源を保持し、且つ、反射部を有している。
特許文献１に記載されている照明器具の場合、照明器具の使用者は、まず、保持体を固定しているネジを手動で緩め、次に、保持体の姿勢を変更し、最後に再び手動でネジを締める。この結果、光源及び／又は反射部から出射する光の方向が変更される。つまり、配光が調節される。
【０００３】
特許文献２に記載されている照明器具は、天井に取付けられている。照明器具は、スポット照射光源部、間接照射光源部、及び反射手段を備えている。スポット照射光源部及び反射手段は、照明器具本体の上部に配されている。間接照射光源部は照明器具本体の下部に配されている。スポット照射光源部からの光は直接的に床側へ出射する。間接照射光源部からの光は反射手段に入射し、反射手段にて反射した光が床側へ出射する。
【０００４】
特許文献２に記載されている照明器具の場合、モータを用いてスポット照射光源部を回動させることによって、スポット照射光源部からの光の出射方向を自動的に調節する。
【先行技術文献】
【特許文献】
【０００５】
【特許文献１】特開２０１１−１４３１５号公報
【特許文献２】特開２０１０−２０５４８２号公報
【発明の概要】
【発明が解決しようとする課題】
【０００６】
特許文献２に記載されている照明器具の場合、反射手段は、スポット照射光源部を囲繞している。このため、反射手段の形状又はサイズ等によっては、スポット照射光源部の回動可能な範囲が制限される。つまり、スポット照射光源部が回動することによって照明可能な範囲が、反射手段のせいで狭まる虞がある。
【０００７】
一方、特許文献１に記載されている照明器具の場合、反射部は保持体に設けられているため、保持体の姿勢を変更可能な範囲が反射部によって制限されることはない。
ところが、この反射部は、光源の光出射方向に向けて広がるように光源を覆っている。光源から出射した光、又は、反射部にて反射した光は、光源から見た場合に反射部によって遮蔽される空間（以下、遮蔽空間という）へ出射することはない。つまり、照明器具から光が出射する範囲が、反射部のせいで大幅に狭まる。
【０００８】
本発明は斯かる事情に鑑みてなされたものであり、その主たる目的は、対向配置された光源と反射板とユニット化して揺動させる構成とすることにより、光が出射する範囲及び照明可能な範囲を広げることができる照明器具を提供することにある。
【課題を解決するための手段】
【０００９】
本発明に係る照明器具は、光源と、該光源が発する光を反射する反射板とを夫々が有する複数個の光源ユニットが並置されており、複数個の前記光源ユニットの内、少なくとも１個が揺動可能にしてあり、前記反射板にて反射した光が出射するようにしてある照明器具であって、前記光源ユニットを揺動させることによって、複数個の前記光源ユニット同士を相対的に接離させる接離駆動部を備え、前記反射板は前記光源の光出射方向に対向配置されていることを特徴とする。
【００１０】
本発明に係る照明器具は、複数個の前記光源ユニットの並置方向に交差する方向の軸周りに、複数個の前記光源ユニット及び接離駆動部を一体的に回転させる回転駆動部を更に備えることを特徴とする。
【００１１】
本発明に係る照明器具は、前記回転駆動部による回転範囲は360 °であることを特徴とする。
【００１２】
本発明に係る照明器具は、前記反射板にて反射した光を拡散させる拡散部を更に備えることを特徴とする。
【００１３】
本発明に係る照明器具は、前記接離駆動部は、前記光源ユニットに一体的に設けられている回動軸部と、該回動軸部を回動可能に支持する軸支持部と、正逆に回転可能なモータと、該モータの正逆の回転に伴って、相反方向に直線移動する移動部と、該移動部の前記相反方向の直線移動に伴って、前記回動軸部を中心に正逆に回転する回転部とを有することを特徴とする。
【００１４】
本発明に係る照明器具は、前記接離駆動部は、正逆に回転可能なモータと、該モータの正逆の回転に伴って、相反方向に直線移動する移動部と、その一部が、直線移動する前記移動部に接触し、その他部が、前記光源ユニットに一体的に設けられている接触部と、該接触部の前記一部及び他部が一体的にその周面方向に回動移動可能なように前記接触部を支持する支持軸部とを有することを特徴とする。
【００１５】
本発明にあっては、照明器具は、複数個の光源ユニットと、接離駆動部とを備える。
光源ユニットは、光源及び反射板を有する。光源が発する光は、反射板によって全反射又は部分反射される。そして、反射板にて反射した光が、光源ユニットから照明器具の外部へ出射する。
反射板は光源の光出射方向に対向配置されており、光源を覆っていない。故に、遮蔽空間は、反射板が光源を覆っている場合よりも狭い。従って、反射板が全反射型であっても、光源ユニットから光が出射する範囲は広い。また、反射板が部分反射型であれば、遮蔽空間へも光が出射するため、光源ユニットから光が出射する範囲は更に広い。
【００１６】
接離駆動部は、少なくとも１個の光源ユニットを揺動させることによって、複数個の光源ユニット同士を相対的に接離させる。揺動することによって、光源ユニットの姿勢は変化する。この結果、照明器具の配光が調整される。
光源ユニットの揺動可能な範囲は、反射板によって制限されることはない。何故ならば、光源と反射板とがユニット化された光源ユニットが揺動するからである。従って、複数個の光源ユニット同士が相対的に接離することによって照明可能な範囲は広い。
【００１７】
本発明にあっては、照明器具は、回転駆動部を更に備える。回転駆動部は、複数個の光源ユニット及び接離駆動部を一体的に回転させる。複数個の光源ユニットの並置方向が例えば横方向ならば、複数個の光源ユニット及び接離駆動部は、縦方向の軸周りに回転する。
このとき、複数個の光源ユニットの配置が変化する。この結果、照明器具の配光が調整される。
また、このとき、光源ユニットと接離駆動部との相対的な位置関係は変化しない。故に、複数個の光源ユニットの配置によらず、接離駆動部が複数個の光源ユニット同士を相対的に接離させることができる。
【００１８】
更に、回転駆動部が複数個の光源ユニット及び接離駆動部を回転させる。即ち、使用者が手動で複数個の光源ユニット及び接離駆動部を回転させる必要がない。このため、使用者の利便性を向上させることができる。
【００１９】
本発明にあっては、回転駆動部が複数個の光源ユニット及び接離駆動部を一体的に回転させる回転範囲は360 °である。このため、複数個の光源ユニットの配置が変化することによって照明可能な範囲を広げることができる。
【００２０】
本発明にあっては、照明器具から外部へ出射する光を、拡散部が存在しない場合よりも拡散させることができる。このため、照明器具から光が出射する範囲を広げることができる。また、拡散部が存在しなければ光が入射しない範囲に、拡散部によって拡散した光が入射するため、光ムラが生じることを抑制することができる。
【００２１】
本発明にあっては、接離駆動部は、回動軸部、軸支持部、モータ、移動部、及び回転部を有する。
モータの出力軸が正逆に回転すると、移動部及び回転部を介して、軸支持部に支持された回動軸部が正逆に回転する。このとき、回動軸部と一体的に、光源ユニットが、回動軸部周りの一方向／逆方向に揺動する。この結果、複数個の光源ユニット同士を、回動軸部の周面方向に相対的に接離させることができる。
【００２２】
移動部及び回転部は、回転運動を直線運動に変換し、変換後の直線運動を更に回転運動に変換することによって、モータの出力軸の回転を回動軸部に、延いては光源ユニットに伝達する。このため、モータの出力軸の回転を直接的に光源ユニットに伝達する場合よりも、モータ及び光源ユニット等の配置の自由度を向上させることができる。
【００２３】
本発明にあっては、接離駆動部は、モータ、移動部、接触部、及び支持軸部を有する。
モータの出力軸が正／逆に回転すると、移動部が一方向／逆方向に直線移動する。直線移動する移動部に接触している接触部の一部は、移動部の一方向／逆方向の直線移動に伴い、支持軸部周りの一方向／逆方向に回転移動する。このとき、接触部の一部と一体的に、接触部の他部が支持軸部周りの一方向／逆方向に回転移動する。このとき、接触部の他部と一体的に、光源ユニットが、支持軸部周りの一方向／逆方向に揺動する。この結果、複数個の光源ユニット同士を支持軸部の周面方向に相対的に接離させることができる。
【００２４】
移動部及び接触部は、回転運動を直線運動に変換し、変換後の直線運動を更に回転運動に変換することによって、モータの出力軸の回転を光源ユニットに伝達する。このため、モータの出力軸の回転を直接的に光源ユニットに伝達する場合よりも、モータ及び光源ユニット等の配置の自由度を向上させることができる。
【発明の効果】
【００２５】
本発明の照明器具による場合、接離駆動部が光源ユニットを揺動させる。即ち、使用者が手動で光源ユニットを揺動させる必要がない。このため、使用者の利便性を向上させることができる。
また、光源と反射板とが対向配置されているため、反射板に遮蔽されることなく光が出射する範囲を広げることができる。
【００２６】
更に、光源と反射板とがユニット化された光源ユニットが揺動するため、反射板の存在が光源ユニットの揺動可能な範囲を制限することはない。従って、複数個の光源ユニット同士が相対的に接離することによって照明可能な範囲を広げることができる。
【図面の簡単な説明】
【００２７】
【図１】本発明の実施の形態１に係る照明器具の外観（光源ユニット同士が接近している状態）を略示する正面図である。
【図２】本発明の実施の形態１に係る照明器具の外観（光源ユニット同士が離隔している状態）を略示する正面図である。
【図３】本発明の実施の形態１に係る照明器具が備える光源ユニットの外観を略示する正面図である。
【図４】本発明の実施の形態１に係る照明器具が備える光源ユニットの外観を略示する側面図である。
【図５】本発明の実施の形態１に係る照明器具が備える光源ユニットの構成を略示する縦断面図である。
【図６】本発明の実施の形態１に係る照明器具が備える接離駆動部の構成を説明する模式的な正面図である。
【図７】本発明の実施の形態１に係る照明器具の制御系の構成を示すブロック図である。
【図８】本発明の実施の形態２に係る照明器具が備える接離駆動部の構成を説明する模式的な正面図である。
【図９】本発明の実施の形態２に係る照明器具が備える接離駆動部の構成を説明する模式的な側面図である。
【図１０】本発明の実施の形態３に係る照明器具が備える接離駆動部の構成を説明する模式的な正面図である。
【発明を実施するための形態】
【００２８】
以下、本発明を、その実施の形態を示す図面に基づいて詳述する。ここでは、本発明の実施の形態に係る照明器具が、天井に直付けされるシーリングライトとして構成される場合を説明する。
なお、本発明の実施の形態に係る照明器具は、天井から電気コードで吊り下げられるペンダントライトとして構成されてもよく、天井に埋め込まれるダウンライトとして構成されてもよい。また、本発明の実施の形態に係る照明器具は、天井に取り付けられる構成に限定されず、例えばショーケースに内蔵される構成でもよい。
【００２９】
実施の形態  １．
図１及び図２は、本発明の実施の形態１に係る照明器具１の外観を略示する正面図である。以下では、図１（及び図２）の上下左右を、照明器具１の上下左右という。また、図１（及び図２）の紙面垂直方向の手前側及び奥側を、照明器具１の前側及び後ろ側という。
図１は、後述する光源ユニット２，２同士が接近している状態を示している。図２は、光源ユニット２，２同士が離隔している状態を示している。
【００３０】
図３及び図４は、光源ユニット２の外観を略示する正面図及び側面図である。
図５は、光源ユニット２の構成を略示する縦断面図である。図５は、図４におけるＶ−Ｖ線の断面図でもある。
図６は、後述する接離駆動部３の構成を説明する模式的な正面図である。
図７は、照明器具１の制御系の構成を示すブロック図である。
図１及び図２に示すように、照明器具１は、天井Ｃに取り付けられている。
照明器具１は、２個の光源ユニット２，２と、接離駆動部３と、回転駆動部４とを、下側からこの順に備えている。
【００３１】
まず、図１〜図５を参照しつつ、光源ユニット２，２について説明する。
２個の光源ユニット２，２は、左右方向に並置されている。各光源ユニット２は、同一の形状、サイズ、及び構成を有する。故に、個々の光源ユニット２について説明する場合、以下では、左側の光源ユニット２について説明する。
光源ユニット２は、正面視が下膨れの涙滴状をなし、側面視が矩形状をなしている。光源ユニット２は、シャーシ２０、光源２１、反射板２２、及び拡散部２３を備える。
【００３２】
シャーシ２０は金属製の矩形板状をなしている。シャーシ２０は光源ユニット２の左壁を構成している。
シャーシ２０は光源２１を支持する。具体的には、シャーシ２０の右面（内面）に、光源２１が取り付けられている。ただし、光源２１は、シャーシ２０の上端部には配されていない。シャーシ２０は、光源２１の放熱板としても機能する。
シャーシ２０の上端部は、上下方向中央部に対して左側（外側）へ傾斜している。シャーシ２０の下端部の左面には、凹部が形成されている。
【００３３】
光源２１は、複数個のＬＥＤ２１１，２１１，…と、光源駆動部２１２とを備えている（図７参照）。更に、光源２１は、図示しないＬＥＤ基板を備えており、このＬＥＤ基板の一面にＬＥＤ２１１，２１１，…が実装されており、他面側に光源駆動部２１２が配されている。光源２１は、ＬＥＤ基板の他面側がシャーシ２０の右面に対面するように、シャーシ２０に取り付けられている。
光源駆動部２１２は、ＬＥＤ２１１，２１１，…のドライバ及び電源回路等を備えている。光源駆動部２１２は、後述する制御部１０に制御されることによって、ＬＥＤ２１１，２１１，…をオン／オフする。オンされたＬＥＤ２１１，２１１，…は光を発する。
【００３４】
反射板２２は矩形状をなしている。反射板２２は光源ユニット２の右壁を構成している。
反射板２２は全反射型又は部分反射型の光反射機能を有する。
反射板２２の下端部の右面には、凹部が形成されている。
【００３５】
シャーシ２０の上端部と反射板２２の上端部とは、シャーシ２０の上端部右面と反射板２２の上端部左面とを密着させて、後述する軸部材３１１と共に、２本のビスＢ，Ｂによってビス留めされている。この結果、光源２１のＬＥＤ基板の一面（即ちＬＥＤ２１１，２１１，…の実装面）と反射板２２とは対面配置される。つまり、反射板２２は、ＬＥＤ２１１，２１１，…の光出射方向に対向配置されている。ただし、光源２１のＬＥＤ基板は反射板２２に対して傾斜しており、下側ほど反射板２２から離隔している。
ビス留めによって一体化されたシャーシ２０の上端部と反射板２２の上端部とは、光源ユニット２の上端部を構成している。
【００３６】
拡散部２３は合成樹脂製の板状をなしており、可撓性を有する。拡散部２３は光源ユニット２の前壁、後壁、及び底壁を構成している。
拡散部２３は、シャーシ２０及び反射板２２に囲繞された空間（即ち、その内部に光源２１が存在する空間）を、前方、後方、及び下方から覆っている。このために、拡散部２３は、シャーシ２０及び反射板２２夫々の前端面と後端面とを覆い、また、拡散部２３の弾性復元力によって、シャーシ２０及び反射板２２夫々の下端部に形成されている凹部に係止している。
拡散部２３は、光を透過及び拡散させる機能を有する。
【００３７】
以上のような光源ユニット２は、接離駆動部３によって揺動可能に支持されている。
なお、光源２１は、ＬＥＤ２１１，２１１，…を用いてなる構成に限定されるものではない。
【００３８】
ここで、光源ユニット２からの光の出射について説明する。
光源２１が発した光は、反射板２２又は拡散部２３へ入射する。
反射板２２が全反射型の場合、反射板２２へ入射した光は、反射板２２にて全部反射する。反射板２２が部分反射型の場合、反射板２２へ入射した光は、一部が反射板２２にて反射し、残部が反射板２２を透過する。反射板２２を透過した光は、光源ユニット２の外部へ出射する。
【００３９】
拡散部２３へ入射した光は、拡散部２３を透過することによって拡散した状態で、光源ユニット２の外部へ出射する。拡散部２３による拡散が十分であれば、使用者には、光源ユニット２の拡散部２３の部分が均一に発光しているように見える。仮に、拡散部２３が存在しないと、光源ユニット２からの光の出射範囲が限定されてしまう。
光源ユニット２の外部へ出射した光によって、照明器具１の外部が照明される。
【００４０】
反射板２２が全反射型である場合、反射板２２の右面側へ光源ユニット２から光が直接的に出射することはない。しかしながら、光源２１に対向配置されている反射板２２の面積は、従来のように光源を覆っている場合よりも狭い。従って、光源ユニット２から光が出射する範囲は広い。
反射板２２が部分反射型であれば、反射板２２の右面側へも光源ユニット２から光が直接的に出射する。このため、光源ユニット２から光が出射する範囲は更に広い。
【００４１】
次に、図１〜図６を参照しつつ、接離駆動部３について説明する。
接離駆動部３は、軸部材３１１，３１１、軸支持部３２，３２、第１モータ（モータ）３３、カム３３２、移動部３４、バネ３４１、及び回転部３５，３５と、これらを収容するケーシング３０とを備える。
軸部材３１１，３１１、軸支持部３２，３２、及び回転部３５，３５は、左右の光源ユニット２，２に対応する。以下では、左側の光源ユニット２に対応する軸部材３１１、軸支持部３２、及び回転部３５について説明する。
【００４２】
ケーシング３０は倒立有底円筒状をなしている。ケーシング３０の底壁は上側に配され、開口端部は下側に配されている。光源ユニット２，２は、ケーシング３０の下方にて照明器具１の外部に露出している。ただし、光源ユニット２，２夫々の上端部は、ケーシング３０の開口からケーシング３０の内部へ挿入してある。
【００４３】
軸部材３１１は合成樹脂製の成型品である。軸部材３１１は、側面視が矩形枠状をなしている。軸部材３１１の下辺部は、上述したビスＢ，Ｂによって光源ユニット２の上端部にビス留めされている。更に詳細には、軸部材３１１の下辺部は、シャーシ２０の上端部の左面に密着してシャーシ２０及び反射板２２にビス留めされている。軸部材３１１の上辺部は、回動軸部３１として機能する。つまり、軸部材３１１には、回動軸部３１が一体形成されている。このような回動軸部３１は、光源ユニット２の上端部に一体的に設けられている。回動軸部３１は、横姿勢に配されている。回動軸部３１の軸長方向は、前後方向である。
【００４４】
軸支持部３２は、回動軸部３１を回動可能に支持する。このために、軸支持部３２は、２個の軸受３２１，３２１を備えている。各軸受３２１は、ボールベアリングを用いてなる。軸受３２１，３２１の内輪は、回動軸部３１の前部及び後部に外嵌めされている。各軸受３２１の外輪は、ケーシング３０の内部に一体的に設けられている軸受支持部３２０に固定されている。
【００４５】
第１モータ３３は、ケーシング３０の内部に一体的に設けられているモータ支持部３３０に固定されている。第１モータ３３の出力軸は、正逆に回転可能である。また、第１モータ３３の出力軸は、横姿勢に配されている。
第１モータ３３を駆動する第１モータ駆動部３３１（図７参照）は、後述するケーシング４０に収容されている。第１モータ駆動部３３１は、制御部１０に制御されることによって、第１モータ３３の出力軸を所要の回転角度だけ正転又は逆転させるべく第１モータ３３に給電する。
第１モータ３３の出力軸には、円板状のカム３３２が取り付けられている。カム３３２の下方には、移動部３４が配されている。
【００４６】
移動部３４は、縦姿勢の直線歯車状になしてある。移動部３４の歯は、移動部３４の左右側部夫々に形成されている。移動部３４の下端部は、バネ３４１に連結されている。移動部３４は、バネ３４１によって上方へ付勢されている。この結果、移動部３４の上端部は、カム３３２の周面に押し付けられている。
回転部３５は、縦姿勢の円形歯車状になしてある。左側（又は右側）の光源ユニット２に対応する回転部３５の歯は、移動部３４の左側部（又は右側部）に形成されている歯に噛合している。回転部３５は、回動軸部３１の軸長方向中央部に外嵌めされている。
【００４７】
次に、光源ユニット２の揺動及び光源ユニット２，２同士の接離について説明する。
図１に示すように左右の光源ユニット２，２同士が接触している状態では、左右の光源ユニット２，２の反射板２２，２２同士は接触している。つまり、光源ユニット２，２は閉じている。
【００４８】
この状態で、第１モータ３３の出力軸がθ°（θは０＜θ≦180 の実数）正転すると、カム３３２の正転に伴い、カム３３２から移動部３４へ、バネ３４１の付勢力を超える押圧力が印加される。このため、移動部３４は下方へ直線移動する。移動部３４の歯と回転部３５の歯とは噛合しており、回転部３５は、回動軸部３１に外嵌めされている。このため、移動部３４の下方への直線移動に伴い、回転部３５は、回動軸部３１を中心に、図６における時計回りに回転する。このとき、回動軸部３１も時計回りに回転する。回動軸部３１は、光源ユニット２の上端部に一体的に設けられているため、回動軸部３１の時計回りの回転に伴い、光源ユニット２の下端部は、回動軸部３１の周面に沿って時計回りに回転移動する。
【００４９】
同様に、右側の光源ユニット２の下端部は、回動軸部３１の周面に沿って反時計回りに回転移動する。
この結果、左右の光源ユニット２，２同士が離隔する。このとき、反射板２２，２２同士も離隔する。換言すれば、光源ユニット２，２が開く。
【００５０】
図２に示すように左右の光源ユニット２，２同士が離隔している状態で、第１モータ３３の出力軸がε°（εは０＜ε≦θの実数）逆転すると、カム３３２の逆転に伴い、カム３３２から移動部３４へ印加されていた押圧力が徐々に除去される。このため、移動部３４は上方へ直線移動する。移動部３４の上方への直線移動に伴い、回転部３５は、回動軸部３１を中心に、図６における反時計回りに回転する。このとき、回動軸部３１も反時計回りに回転する。回動軸部３１の反時計回りの回転に伴い、光源ユニット２の下端部は、回動軸部３１の周面に沿って反時計回りに回転移動する。
【００５１】
同様に、右側の光源ユニット２の下端部は、回動軸部３１の周面に沿って時計回りに回転移動する。
この結果、左右の光源ユニット２，２同士が接近する。ε＝θであれば、左右の光源ユニット２，２同士が接触する。このとき、反射板２２，２２同士も接触する。換言すれば、光源ユニット２，２が閉じる。
以上のように、接離駆動部３は、左右の光源ユニット２，２を互いに逆方向に揺動させることによって、光源ユニット２，２同士を接離させる。このとき、光源ユニット２，２夫々の姿勢が、左右対称に変化する。この結果、照明器具１の配光が調整される。
【００５２】
具体的には、例えば、図１に示すように光源ユニット２，２の反射板２２，２２同士が接触している状態で、照明器具１が照明器具１の真下の床を最も明るく照明しているものとする。この場合、図２に示すように光源ユニット２，２の反射板２２，２２同士が離隔している状態では、照明器具１が照明器具１の真下の床の左右側方を最も明るく照明する。このとき、反射板２２が全反射型であれば、照明器具１の真下の床は比較的暗いが、反射板２２が部分反射型であれば、照明器具１の真下の床も比較的明るい。
【００５３】
なお、光源ユニット２，２同士が離隔している状態で、照明器具１が左右の壁を最も明るく照明するならば、照明器具１による照明を床に対する間接照明として用いることができる。
ところで、反射板２２は光源ユニット２に内蔵されているため、光源ユニット２の揺動可能な範囲が反射板２２によって制限されることはない。従って、光源ユニット２，２同士が接離することによって照明可能な範囲は広い。
【００５４】
本実施の形態の接離駆動部３は、１個の第１モータ３３を用いて、２個の光源ユニット２，２を左右対称に揺動させるが、このような構成に限定されるものではない。例えば、接離駆動部３は、光源ユニット２，２を、左右非対称に揺動させることが可能な構成でもよい。この場合の照明器具１は、例えば、カム３３２、移動部３４、及びバネ３４１を備えず、左右の光源ユニット２，２夫々に対応して、第１モータ３３，３３及び第１モータ駆動部３３１，３３１を備え、第１モータ３３，３３の出力軸を、光源ユニット２，２に対応する回動軸部３１，３１に直結する。そして、制御部１０が、第１モータ３３，３３が個別に回転するよう第１モータ駆動部３３１，３３１を制御する。ところで、２個の光源ユニット２，２の一方は揺動しないよう固定されていてもよい。この場合、２個の光源ユニット２，２同士は相対的に接離する。
【００５５】
次に、図１及び図２を参照しつつ、回転駆動部４について説明する。
回転駆動部４は、ケーシング４０と第２モータ４１とを備えている。
ケーシング４０は、円筒状をなしている。ケーシング４０の軸長方向の一端部は、天井Ｃに固定的に取り付けられている。ケーシング４０は、第２モータ４１と、制御部１０、第１モータ駆動部３３１、及び第２モータ駆動部４１１（図７参照）とを収容している。
第２モータ４１の出力軸は、下向きに配されている。また、第２モータ４１の出力軸は、正逆に回転可能である。第２モータ４１の出力軸は、ケーシング３０の底壁の中心部に連結されている。
【００５６】
第２モータ４１を駆動する第２モータ駆動部４１１は、制御部１０に制御されることによって、第２モータ４１の出力軸を所要の回転角度ω（ωは０＜ω≦360 の実数）だけ正転又は逆転させるべく第２モータ４１に給電する。
第２モータ４１の出力軸が正転又は逆転すると、ケーシング３０が、第２モータ４１の出力軸を中心に、下から見て時計回り又は反時計回りに回転する。この結果、光源ユニット２，２と接離駆動部３とが一体的に、回転角度ωだけ時計回り又は反時計回りに回転する。
【００５７】
このとき、光源ユニット２，２は、第２モータ４１の出力軸の周面に沿って時計回り又は反時計回りに回転移動する。即ち、光源ユニット２，２の、第２モータ４１の出力軸周りの配置が変化する。具体的には、左右方向に並置されていた光源ユニット２，２が、90°又は270 °回転移動することによって、前後方向に並置される。この結果、照明器具１の配光が調整される。
【００５８】
ところで、光源ユニット２，２と接離駆動部３とは一体的に回転するため、光源ユニット２，２と接離駆動部３との相対的な位置は一定に保たれている。従って、光源ユニット２，２が回転移動しても、接離駆動部３による各光源ユニット２の揺動（延いては、光源ユニット２，２同士の接離）は、問題なく行なうことができる。
なお、第２モータ４１の出力軸、延いては光源ユニット２，２と接離駆動部３とは、360 °を超えて回転し続けることが可能な構成でもよい。
以上のような回転駆動部４は、光源ユニット２，２と接離駆動部３とを一体的に天井Ｃに取り付けるためのジョイント部としても機能する。
【００５９】
次に、図７を参照しつつ、照明器具１の制御系について説明する。
制御部１０は、照明器具１の制御中枢である。制御部１０には、第１モータ駆動部３３１、第２モータ駆動部４１１、光源駆動部２１２、及び操作部１１が接続されている。第１モータ駆動部３３１、第２モータ駆動部４１１、及び光源駆動部２１２には、第１モータ３３、第２モータ４１、及びＬＥＤ２１１，２１１，…が接続されている。
【００６０】
操作部１１には、使用者が操作すべき操作ボタン又は操作摘み等が設けられている。このような操作部１１は、例えば壁に設けられた操作パネル、又はリモートコントローラ等として構成されており、使用者に操作された操作ボタン又は操作摘み等に応じた制御信号を、有線又は無線で制御部１０へ出力する。
制御部１０は、入力された制御信号に応じて、第１モータ駆動部３３１、第２モータ駆動部４１１、及び光源駆動部２１２を介し、第１モータ３３、第２モータ４１、及びＬＥＤ２１１，２１１，…夫々のオン／オフ等を制御する。
【００６１】
以上のような照明器具１は、接離駆動部３が第１モータ３３を用いて各光源ユニット２を揺動させる。即ち、使用者が手動で各光源ユニット２を揺動させる必要がない。また、回転駆動部４が第２モータ４１を用いて各光源ユニット２を回転移動させる。即ち、使用者が手動で各光源ユニット２を回転移動させる必要がない。このため、使用者の利便性を向上させることができる。
【００６２】
実施の形態  ２．
図８及び図９は、本発明の実施の形態２に係る照明器具１が備える接離駆動部３の構成を説明する模式的な正面図及び側面図である。以下では、図８の上下左右を、照明器具１の上下左右という。また、図８の紙面垂直方向の手前側及び奥側を、照明器具１の前側及び後ろ側という。図９の左側及び右側、並びに、紙面垂直方向の手前側及び奥側は、照明器具１の後ろ側及び前側、並びに、左側及び右側である。
【００６３】
本実施の形態の照明器具１は、実施の形態１の照明器具１と略同様の構成であるが、接離駆動部３の構成が異なる。以下では、実施の形態１，２の差異について説明し、その他、実施の形態１に対応する部分には同一符号を付してそれらの説明を省略する。
【００６４】
図８は、光源ユニット２，２の反射板２２，２２同士が接触している状態を示している。
本実施の形態における接離駆動部３は、第１モータ（モータ）５１、移動部５２，５２、案内板５２１、接触部５３，５３、及び支持軸部５４，５４と、これらを収容するケーシング３０とを備える。本実施の形態における接離駆動部３には、軸部材３１１，３１１、軸支持部３２，３２、第１モータ３３、カム３３２、移動部３４、バネ３４１、及び回転部３５，３５は備えられていない。
移動部５２，５２、接触部５３，５３、及び支持軸部５４，５４は、左右の光源ユニット２，２に対応する。以下では、左側の光源ユニット２に対応する接触部５３、及び支持軸部５４について説明する。
【００６５】
第１モータ５１は、ケーシング３０の内部に一体的に設けられている図示しないモータ支持部に固定されている。第１モータ５１の出力軸は、正逆に回転可能である。第１モータ５１は、第１モータ駆動部３３１によって駆動される。
案内板５２１は、左右方向に沿って縦姿勢に配されている。案内板５２１は、ケーシング３０の内部に一体的に設けられている板支持部５２０に固定されている。案内板５２１には、左右方向の案内溝５２３が貫通形成されている。
【００６６】
各移動部５２は前後方向に沿って横姿勢に配された棒状をなしている。各移動部５２は案内溝５２３を貫通している。移動部５２，５２は、案内溝５２３の内面に摺動することによって、案内溝５２３に案内される。２本の移動部５２，５２は、左右方向に適長離隔して配されている。
移動部５２，５２は、図示しないカム機構又はリンク機構等を介して第１モータ５１に連結されている。このため、第１モータ５１が正転（又は逆転）すると、移動部５２，５２は、案内溝５２３に案内されつつ、互いに接近（又は離隔）する方向へ直線移動する。
【００６７】
支持軸部５４は前後方向に沿って横姿勢に配された円柱状をなしている。支持軸部５４はケーシング３０の内部に設けられている図示しない支持軸固定部に固定されている。支持軸部５４には、前後方向に適長離隔配置された２個のボールベアリング５４１，５４１の内輪が外嵌めされている。
接触部５３は、合成樹脂製の成型品である。接触部５３は、円筒形状の本体部５３０と、本体部５３０の周面に突設された突起部５３１及び突条部５３２とをを一体に有する。
【００６８】
本体部５３０には、ボールベアリング５４１，５４１の外輪が内嵌めされている。つまり、本体部５３０、延いては接触部５３は、支持軸部５４を中心に回動可能に支持されている。接触部５３が回動すると、突起部５３１及び突条部５３２は、支持軸部５４の周面方向に一体的に回動移動する。換言すれば、支持軸部５４は、突起部５３１及び突条部５３２が一体的に支持軸部５４の周面方向に回動移動可能なように接触部５３を支持している。
【００６９】
突起部５３１は、本体部５３０の軸長方向中央部に配されている。突起部５３１の本体部５３０からの突出方向は、概ね上方向である。突起部５３１は、左側の移動部５２に右側から接触している。
突条部５３２は、本体部５３０の軸長方向に沿って配されている。突条部５３２は、ビスＢ，Ｂによって光源ユニット２の上端部にビス留めされている。光源ユニット２の自重によって、突条部５３２は図８における反時計回りに回転移動するよう付勢されている。このため、突起部５３１は、左側の移動部５２に右側から押し付けられている。
【００７０】
次に、光源ユニット２の揺動及び光源ユニット２，２同士の接離について説明する。
左右の光源ユニット２，２同士が接近している状態で、第１モータ５１の出力軸が正転すると、移動部５２，５２が互いに接近する方向へ移動する。このとき、右方へ直線移動する移動部５２から突起部５３１へ押圧力が印加されるため、突起部５３１が時計回りに回転移動する。突起部５３１が時計回りに回転移動するとき、突条部５３２も時計回りに回転移動するため、光源ユニット２の下端部は、支持軸部５４の周面に沿って時計回りに回転移動する。
【００７１】
同様に、右側の光源ユニット２の下端部は、支持軸部５４の周面に沿って反時計回りに回転移動する。
この結果、左右の光源ユニット２，２同士が離隔する。
【００７２】
左右の光源ユニット２，２同士が離隔している状態で、第１モータ５１の出力軸が逆転すると、移動部５２，５２が互いに離隔する方向へ移動する。このとき、移動部５２から突起部５３１への押圧力の印加が解除されるため、光源ユニット２の自重によって、突起部５３１、突条部５３２、及び光源ユニット２の下端部が、支持軸部５４の周面に沿って反時計回りに回転移動する。
同様に、右側の光源ユニット２の下端部は、支持軸部５４の周面に沿って時計回りに回転移動する。
この結果、左右の光源ユニット２，２同士が接近する。
【００７３】
以上のように、接離駆動部３は、左右の光源ユニット２，２を互いに逆方向に揺動させることによって、光源ユニット２，２同士を接離させる。このとき、光源ユニット２，２夫々の姿勢が、左右対称に変化する。この結果、照明器具１の配光が調整される。
【００７４】
実施の形態  ３．
図１０は、本発明の実施の形態３に係る照明器具１が備える接離駆動部３の構成を説明する模式的な正面図である。以下では、図１０の上下左右を、照明器具１の上下左右という。また、図１０の紙面垂直方向の手前側及び奥側を、照明器具１の前側及び後ろ側という。
本実施の形態の照明器具１は、実施の形態１，２の照明器具１と略同様の構成であるが、接離駆動部３の構成と光源ユニット２，２の配置とが異なる。以下では、実施の形態１〜３の差異について説明し、その他、実施の形態１，２に対応する部分には同一符号を付してそれらの説明を省略する。
【００７５】
図１０は、光源ユニット２，２同士が最も接近している状態を示している。
実施の形態１，２では、光源ユニット２，２同士が最も接近している状態では、反射板２２，２２同士が接触しているが、本実施の形態では、光源ユニット２，２同士が最も接近している状態でも反射板２２，２２同士が離隔している。
【００７６】
本実施の形態における接離駆動部３は、第１モータ５１、案内板５２１、移動部５５、接触部５６，５６、及び支持軸部５４，５４と、これらを収容するケーシング３０とを備える。本実施の形態における接離駆動部３には、軸部材３１１，３１１、軸支持部３２，３２、第１モータ３３、カム３３２、移動部３４，５２，５２、バネ３４１、回転部３５，３５、及び接触部５３，５３は備えられていない。
案内板５２１には、実施の形態２の案内溝５２３に替えて、上下方向の案内溝５２４が貫通形成されている。
【００７７】
移動部５５は移動部本体５５０、移動棒部５５１、及び移動腕部５５２，５５２を一体に有する。
移動部本体５５０は矩形ブロック状をなしている。
移動部本体５５０の後面には、移動棒部５５１が突設されている。
移動棒部５５１は前後方向に沿って横姿勢に配されている。移動棒部５５１は案内溝５２４を貫通している。移動棒部５５１は、案内溝５２４の内面に摺動することによって、案内溝５２４に案内される。
【００７８】
移動棒部５５１は、図示しないカム機構又はリンク機構等を介して第１モータ５１に連結されている。このため、第１モータ５１が正転（又は逆転）すると、移動棒部５５１、延いては移動部５５は、案内溝５２４に案内されつつ、下方向（又は上方向）へ直線移動する。
移動部本体５５０の左右両面には、移動腕部５５２，５５２が突設されている。
【００７９】
接触部５６，５６は、左右の光源ユニット２，２に対応する。以下では、左側の光源ユニット２に対応する接触部５６について説明する。
接触部５６は、本体部５６０、突起部５６１、及び突条部５６２を有する。接触部５６の本体部５６０、突起部５６１、及び突条部５６２の機能は、実施の形態２の接触部５３の本体部５３０、突起部５３１、及び突条部５３２の機能に対応するが、形状は異なる。本体部５６０は中空の角柱状であり、内部は円筒状をなしている。突起部５６１の本体部５６０からの突出方向は、概ね右方向である。
【００８０】
本体部５６０には、ボールベアリング５４１，５４１の外輪が内嵌めされている。つまり、本体部５６０、延いては接触部５６は、支持軸部５４を中心に回動可能に支持されている。接触部５６が回動すると、突起部５６１及び突条部５６２は、支持軸部５４の周面方向に一体的に回動移動する。換言すれば、支持軸部５４は、突起部５６１及び突条部５６２が一体的に支持軸部５４の周面方向に回動移動可能なように接触部５６を支持している。
光源ユニット２の自重によって、突条部５６２は図１０における反時計回りに回転移動するよう付勢されている。このため、突起部５６１は、移動部５５の移動腕部５５２に下側から押し付けられている。
【００８１】
次に、光源ユニット２の揺動及び光源ユニット２，２同士の接離について説明する。
左右の光源ユニット２，２同士が最も接近している状態で、第１モータ５１の出力軸が正転すると、移動部５５が下方向へ移動する。このとき、移動部５５の移動腕部５５２から突起部５６１へ押圧力が印加されるため、突起部５６１が時計回りに回転移動する。突起部５６１が時計回りに回転移動するとき、突条部５６２も時計回りに回転移動するため、光源ユニット２の下端部は、支持軸部５４の周面に沿って時計回りに回転移動する。
【００８２】
同様に、右側の光源ユニット２の下端部は、支持軸部５４の周面に沿って反時計回りに回転移動する。
この結果、左右の光源ユニット２，２同士が離隔する。
【００８３】
左右の光源ユニット２，２同士が離隔している状態で、第１モータ５１の出力軸が逆転すると、移動部５５が上方向へ移動する。このとき、移動部５５の移動腕部５５２から突起部５６１への押圧力の印加が解除されるため、光源ユニット２の自重によって、突起部５６１、突条部５６２、及び光源ユニット２の下端部が、支持軸部５４の周面に沿って反時計回りに回転移動する。
同様に、右側の光源ユニット２の下端部は、支持軸部５４の周面に沿って時計回りに回転移動する。
この結果、左右の光源ユニット２，２同士が接近する。
【００８４】
以上のように、接離駆動部３は、左右の光源ユニット２，２を互いに逆方向に揺動させることによって、光源ユニット２，２同士を接離させる。このとき、光源ユニット２，２夫々の姿勢が、左右対称に変化する。この結果、照明器具１の配光が調整される。
【００８５】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。例えば、照明器具１が３個以上の光源ユニット２，２，…を備えていてもよい。
また、本発明の効果がある限りにおいて、照明器具１に、実施の形態１〜３に開示されていない構成要素が含まれていてもよい。
【符号の説明】
【００８６】
１    照明器具
２    光源ユニット
２１  光源
２２  反射板
２３  拡散部
３    接離駆動部
３１  回動軸部
３２  軸支持部
３３，５１  第１モータ（モータ）
３４，５２，５５  移動部
３５  回転部
４    回転駆動部
５３，５６  接触部
５４  支持軸部
【図１】
2013200978.tif 000003
【図２】
2013200978.tif 000004
【図３】
2013200978.tif 000005
【図４】
2013200978.tif 000006
【図５】
2013200978.tif 000007
【図６】
2013200978.tif 000008
【図７】
2013200978.tif 000009
【図８】
2013200978.tif 000010
【図９】
2013200978.tif 000011
【図１０】
2013200978.tif 000012